(57)【要約】【課題】  ２箇所の弾性部を備えるプローブのそれらの弾性部を互いに独立して機能させる。【解決手段】  被検査物の対象部の電気的特性を検査するための検査装置用の検査用治具が、検査装置に電気的に接続するための電極部と、筒状部材から構成されたプローブと、プローブの先端部を所定の位置に案内するヘッド部と、プローブの中間部を保持する保持部と、プローブの後端部を電極部へ案内するベース部とを備える。プローブは、対象部の検査点に接触する先端部と、電極部と電気的に接続される後端部と、先端部と後端部との間にある中間部とを備え、さらに、先端部と前記中間部との間と、中間部と後端部との間とに、それぞれ、伸縮部を備え、２つの伸縮部、先端部、中間部及び後端部が、筒状部材から一体的に形成されている。【選択図】  図５
2010281583.tif 000002
【特許請求の範囲】
【請求項１】
被検査物の対象部の電気的特性を検査するための検査装置用の検査用治具であって、
前記検査装置に電気的に接続するための電極部と、
筒状部材から構成されたプローブであって、前記対象部の検査点に接触する先端部と、前記電極部と電気的に接続される後端部と、前記先端部と前記後端部との間にある中間部とを備え、さらに、前記先端部と前記中間部との間と、前記中間部と前記後端部との間とに、それぞれ、伸縮部を備え、該２つの伸縮部、前記先端部、前記中間部及び前記後端部が、前記筒状部材から一体的に形成されたプローブと、
前記プローブの前記先端部を所定の位置に案内するヘッド部と、
前記プローブの前記中間部を保持する保持部と、
前記プローブの前記後端部を前記電極部へ案内するベース部とを備える、検査用治具。
【請求項２】
請求項１の検査用治具において、前記プローブの前記伸縮部は、前記筒状部材の一部から螺旋形状部分を取り除くことによって形成する、検査用治具。
【請求項３】
請求項１の検査用治具において、前記保持部は、平行に配置された３つのプレートから構成されており、各プレートに前記プローブの前記中間部が挿通される貫通孔が形成されていて、１のプレートが他の２のプレートに対し面方向に変位して前記貫通孔を前記整列位置からずらすことにより、前記プローブの前記中間部が、該３つのプレートによって挟持される、検査用治具。
【請求項４】
請求項３の検査用治具において、前記３つのプレートは、所定の間隔をおいて離隔されている、検査用治具。
【請求項５】
請求項１の検査用治具において、前記筒状部材はニッケル合金のチューブである、検査用治具。
【請求項６】
請求項１の検査用治具において、前記プローブの前記先端部の端面は、平坦又は先鋭形状の複数の突出部から形成されている、検査用治具。
【請求項７】
請求項１の検査用治具において、前記プローブの前記先端部及び前記後端部の各々に、円柱部材が挿入されて固定されている、検査用治具。
【請求項８】
請求項７の検査用治具において、前記各円柱部材から突出する芯材部が各伸縮部に挿入されている、検査用治具。
【請求項９】
請求項７の検査用治具において、前記円柱部材の先端部が、平坦若しくは半球形状に形成され、または、平坦面を持つ拡大部を備えるように形成されている、検査用治具。
【請求項１０】
請求項１の検査用治具を搭載する検査装置であって、
前記検査用治具を移動させるための検査用治具移動部と、
前記被検査物を保持する被検査物保持部と、
前記検査用治具移動部及び前記被検査物保持部の動きを制御するとともに、前記検査用治具の前記プローブに検査用の電流を供給して前記対象部の電気的特性を測定するための制御装置とを備える、検査装置。
【発明の詳細な説明】
【技術分野】
【０００１】
本発明は、被検査物の検査対象部上に予め設定される検査点とこの検査を実施する検査装置とを電気的に接続する検査用治具に関する。
【０００２】
本発明の検査用治具とは、被検査物が有する検査対象部に、検査装置から電力或いは電気信号を所定検査位置に供給するとともに、検査対象部から電気信号を検出することによって、検査対象部の電気的特性を検出したり、動作試験を行ったりすることを可能にする。
【０００３】
このような被検査物とは、例えば、プリント配線基板、フレキシブル基板、セラミック多層配線基板、液晶ディスプレイやプラズマディスプレイ用の電極板、及び半導体パッケージ用のパッケージ基板やフィルムキャリアなど種々の基板や、半導体ウェハや半導体チップやCSP(Chip size package)などの半導体装置を例示することができる。
【０００４】
本明細書では、これらの上記の被検査物を総称して「被検査物」とし、被検査物に形成される検査対象部を「対象部」と称する。
【背景技術】
【０００５】
従来、被検査物の一実施形態である回路基板には、複数の配線が形成されている。この配線は、回路基板上に搭載される電気・電子部品が所望の機能を有するように、電力を供給したり、電気信号を流したりするために形成されている。このため、配線の不良は、回路基板の動作不良につながることが知られている。
【０００６】
このような問題を解決するために、回路基板や半導体装置などの被検査物に形成される配線や電極のような対象部の良否を判定する検査装置の発明が多数提案されている。
【０００７】
このような検査装置は、例えば、被検査物となる基板上に形成される配線の良否を判断するために、配線上に予め設定される複数の検査点と、夫々に接続される複数のプローブ（接触子）を備える検査用治具を用いて検査が実施される。
【０００８】
この検査用治具では、接触子の一端が配線上の検査点に圧接され、その他端が検査装置と電気的に接続される電極部に圧接される。そして、この検査用治具を介して、検査装置から対象部の配線の電気的特性を測定するための電流や電圧を供給するとともに、その配線からの電気的信号を検査装置へ送信することになる。
【０００９】
近年、技術の進歩により、半導体装置が小さくなったり、基板が小さくなったりすることにともない、基板上の配線もより微細に且つ複雑に形成されるようになっている。このような基板の配線の微細化及び複雑化が進むにつれて、検査用治具が備える接触子も接触子自体の細線化、接触子間の狭ピッチ化や多ピン化や簡素化が求められている。
【先行技術文献】
【特許文献】
【００１０】
【特許文献１】特開２００７−２７１４６９号公報  特許文献１は、通し孔が形成されたプライマリープレート、セカンダリープレート及びプローブ固定板を備え、それらの通し孔にリジッドプローブ又はＬＲプローブを挿入して、プローブ固定板を横方向にずらすことによって、それらを固定して保持する検査用治具を開示する。
【発明の概要】
【発明が解決しようとする課題】
【００１１】
本発明は、２箇所の弾性部を備えるプローブの使用に適した検査用治具を提供することを目的とする。
【００１２】
本発明は、２箇所の弾性部を備えるプローブのそれらの弾性部を互いに独立して機能させることのできる検査用治具を提供することを目的とする。
【００１３】
本発明は、プローブの先端部側の弾性部から被検査物の検査点に加わる力の大きさと、プローブの後端部側の弾性部から電極部に加わる力の大きさとを別々に設定可能な検査用治具を提供することを目的とする。
【００１４】
本発明は、プローブの先端部から被検査物の検査点に加わる力又はプローブの後端部から電極部に加わる力の一方の変動が他の力の大きさに影響を及ぼすことのない検査用治具を提供することを目的とする。
【００１５】
本発明は、２箇所の弾性部を備える比較的柔軟なプローブを湾曲させた状態で保持可能な検査用治具を提供することを目的とする。
【００１６】
本発明は、電極部に対しプローブの後端部から一定の予圧を与えることができる検査用治具を提供することを目的とする。
【００１７】
本発明は、硬い検査対象又は柔らかい検査対象にも対応可能なプローブを備える検査用治具を提供することを目的とする。
【課題を解決するための手段】
【００１８】
そこで、本発明に係る、被検査物の対象部の電気的特性を検査するための検査装置用の検査用治具は、検査装置に電気的に接続するための電極部と、筒状部材から構成されたプローブであって、対象部の検査点に接触する先端部と、電極部と電気的に接続される後端部と、先端部と後端部との間にある中間部とを備え、さらに、先端部と中間部との間と、中間部と後端部との間とに、それぞれ、伸縮部を備え、２つの伸縮部、先端部、中間部及び後端部が、筒状部材から一体的に形成されたプローブと、プローブの先端部を所定の位置に案内するヘッド部と、プローブの中間部を保持する保持部と、プローブの後端部を電極部へ案内するベース部とを備えることを特徴とする。
【００１９】
その検査用治具において、プローブの伸縮部は、筒状部材の一部から螺旋形状部分を取り除くことによって形成するようにしてもよい。
【００２０】
その検査用治具において、保持部は、平行に配置された３つのプレートから構成されており、各プレートにプローブの中間部が挿通される貫通孔が形成されていて、１のプレートが他の２のプレートに対し面方向に変位して貫通孔を整列位置からずらすことにより、プローブの中間部が、３つのプレートによって挟持されるようにしてもよい。
【００２１】
その検査用治具において、３つのプレートを所定の間隔をおいて離隔するようにしてもよい。
【００２２】
その検査用治具において、筒状部材としてニッケル合金のチューブを用いてもよい。
【００２３】
その検査用治具において、プローブの先端部の端面は、平坦又は先鋭形状の複数の突出部から形成されてもよい。
【００２４】
その検査用治具において、プローブの先端部及び後端部の各々に、円柱部材が挿入されて固定されているようにしてもよい。
【００２５】
その検査用治具において、各円柱部材から突出する芯材部が各伸縮部に挿入されるようにしてもよい。
【００２６】
その検査用治具において、円柱部材の先端部が、平坦若しくは半球形状に形成され、または、平坦面を持つ拡大部を備えるように形成してもよい。
【００２７】
また、本発明に係る検査用治具を搭載する検査装置は、検査用治具を移動させるための検査用治具移動部と、被検査物を保持する被検査物保持部と、検査用治具移動部及び被検査物保持部の動きを制御するとともに、検査用治具のプローブに検査用の電流を供給して対象部の電気的特性を測定するための制御装置とを備えることを特徴とする。
【発明の効果】
【００２８】
本発明によると、２箇所の弾性部を備えるプローブのそれらの弾性部を互いに独立して機能させることができる。
【００２９】
本発明によると、プローブの先端部側の弾性部から被検査物の検査点に加わる力の大きさと、プローブの後端部側の弾性部から電極部に加わる力の大きさとを別々に設定することができる。
【００３０】
本発明によると、被検査物の検査点からプローブの先端部側の弾性部に加わる力又は電極部からプローブの後端部側の弾性部に加わる力の一方の変動が他方の力の大きさに変動を生じさせることがない。
【００３１】
本発明によると、比較的柔軟なプローブを湾曲させた状態で保持することができる。
【００３２】
本発明によると、電極部に対しプローブの後端部から一定の予圧を与えることができる。
【００３３】
本発明によると、硬い検査対象又は柔らかい検査対象にも対応することができ、検査対象が限定されない。
【図面の簡単な説明】
【００３４】
【図１】図１は、検査用のプローブを取り付けた本発明の一実施形態に係る検査用治具の概略の構成を示す一部断面正面図である。
【図２】図２（Ａ）から図２（Ｄ）は、図１の検査用治具に用いることのできるさまざまな形態の検査用のプローブを示す概略構成図である。
【図３】図３（Ａ）から図３（Ｄ）は、図１の検査用治具に用いることのできる検査用の様々な形状のプローブの先端部を示す概略構成拡大図である。
【図４Ａ】図４Ａは、図１の検査用治具に図２（Ａ）の実施形態のプローブを組み込むための工程を説明するための概念図である。
【図４Ｂ】図４Ｂは、図１の検査用治具に図２（Ａ）の実施形態のプローブを組み込むための工程を説明するための概念図である。
【図４Ｃ】図４Ｃは、図１の検査用治具に図２（Ａ）の実施形態のプローブを組み込むための工程を説明するための概念図である。
【図４Ｄ】図４Ｄは、図１の検査用治具に図２（Ａ）の実施形態のプローブを組み込むための工程を説明するために一部分を拡大した概念図である。
【図５】図５は、プローブを組み込んだ本発明の一実施形態に係る検査用治具を使用している状況を説明するための概略構成図である。
【図６】図６（Ａ）から図６（Ｃ）は、本発明の他の実施形態に係る検査用治具に他の実施形態のプローブを組み込んだ構成を説明するために検査用治具の一部を拡大した概念図である。
【図７】図７（Ａ）及び図７（Ｂ）は、本発明の他の実施形態に係る検査用治具に他の実施形態のプローブを組み込んだ構成を説明するために検査用治具の一部を拡大した概念図である。
【発明を実施するための形態】
【００３５】
以下に、添付図面に基づいて、望ましい実施形態に係る検査用のプローブが取り付けられた検査用治具について説明を行う。
【００３６】
なお、各添付図において、各部材の厚さ、長さ、形状、部材同士の間隔等は、理解の容易のために、拡大・縮小・変形・簡略化等を行っている。
【００３７】
［検査用治具の概略の構成］
図１は、本発明の一実施形態に係る検査用治具１０の概略の構成を示す一部断面正面図である。検査用治具１０は、ヘッド部１２、保持部１４、ベース部１６及び電極部１８を備える。ヘッド部１２、保持部１４及びベース部１６の各々は、複数の樹脂あるいはセラミックス等の絶縁性の板状部材からなる。ヘッド部１２、保持部１４及びベース部１６は、棒状の支持部材１１及びその周囲に環装されたスペーサ１１ｓによって保持されている。
【００３８】
ヘッド部１２及びベース部１６は、それぞれ、２枚のプレートから構成されている。枚数及び板厚はこれに限定されない。ヘッド部１２の各プレートには複数の貫通孔１２ｈが形成されていて、それに挿入されたプローブ２２の先端部２２ｆを所定の位置に案内する。ベース部１６の各プレートには複数の貫通孔１６ｈが形成されていて、それに挿入されたプローブ２２の後端部２２ｒを電極部１８へ案内する。
【００３９】
プローブ２２の後端部２２ｒは、電極部１８に固定されている導線２０の端部２０ｅ（図４Ｃ）と接触しており、導線２０は図示せぬ検査装置に接続されている。
【００４０】
保持部１４は、詳しくは後述するとおり、所定の間隔をおいて配置された３枚のプレート１４−１，１４−２，１４−３からなる（図４Ａ）。それらの間隔を保持するために、プレート１４−１とプレート１４−２との間と、プレート１４−２とプレート１４−３との間とには、それぞれ、スペーサ１４ｓが挿入されている。各プレートには、複数の孔１４ｈが形成されていて、３枚のプレートの整列した各孔にはプローブ２２が挿入されている。
【００４１】
保持部１４の３枚のプレートの内、図中上下に位置するプレートは、支持部材１１に固定されているが、それらの間に挟まれたプレートは上下のプレートの間を移動することができ、それにより、プローブ２２の取り付け又は取り外しを行うことができる。詳しくは後述する。
【００４２】
図１においては、図面の簡略化のために、一部のプローブ２２を示す。
【００４３】
また、図１に示すように、被検査物の検査時には、検査用治具１０の下方には、検査対象の被検査物５０が配置され、検査用治具１０が下降してプローブ２２の先端部２２ｆを所定の検査点、例えば、５０ｄ１に接触させて、対象部の電気的特性の検査が行われる。
【００４４】
［プローブの構造］
図２（Ａ）から図２（Ｄ）は、図１の検査用治具に用いることができるプローブのいくつかの実施形態を示す。
【００４５】
図２（Ａ）は、図１の検査用治具に用いることができる一実施形態に係るプローブ２２を示す。プローブ２２は、導電性の円筒状部材から構成されている。例えば、そのプローブとして、外径が、約２５から３００μｍで、内径１７が１０から２５０μｍのニッケル合金のチューブを用いてもよい。この実施形態では、各プローブの一例として、外径が、約５０μｍ、内径が約３０μｍ、長さが約２０ｍｍのニッケル合金のチューブを用いるが、それに限定されるものではない。なお、必要に応じて、プローブの先端部２２ｆ及び後端部２２ｒの端面を除いて周面は絶縁被覆してもよい。
【００４６】
プローブ２２は、円筒形状の先端部２２ｆ、中間部２２ｍ及び後端部２２ｒを備える。先端部２２ｆは、図１に示すような被検査物５０の所定の検査点５０ｄｎに接触し、中間部２２ｍは、図１に示すような検査用治具１０の保持部１４によって保持され、後端部２２ｒは、図１に示すような電極部１８と電気的接続を図るように機能する。
【００４７】
また、プローブ２２は、さらに、先端部２２ｆと中間部２２ｍとの間に、伸縮自在な弾性部２２ｓ−１を備え、また、中間部２２ｍと後端部２２ｒとの間に、伸縮自在な弾性部２２ｓ−２を備える。弾性部２２ｓ−１及び２２ｓ−２は、プローブ２２の円筒状部材の一部を例えばレーザを用いてらせん状に取り除くことによって、先端部２２ｆ、中間部２２ｍ及び後端部２２ｒと一体的に形成することができる。
【００４８】
図２（Ａ）に示すように、プローブ２２の先端部２２ｆ及び後端部２２ｒのそれぞれの端面２２ｆｅ，２２ｒｅは、平坦に形成されている。
【００４９】
図２（Ｂ）は、図１の検査用治具に用いることができる他の実施形態に係るプローブ２４を示す。プローブ２２と同様に、プローブ２４も、導電性のある円筒状部材から構成されている。
【００５０】
プローブ２４は、先端部２４ｆと後端部２４ｒと弾性部２４ｓとから構成されている。先端部２４ｆ及び後端部２４ｒは、プローブ２２の先端部２２ｆ及び後端部２２ｒと同様に、被検査物の所定の検査点と接触したり、電極部１８と電気的接続を図ったりする。弾性部２４ｓは、伸縮自在で、プローブ２２の弾性部２２ｓ−１又は弾性部２２ｓ−２と同様に、プローブ２４の円筒状部材の一部を例えばレーザによってらせん状に取り除くことによって、先端部２４ｆ及び後端部２４ｒと一体的に形成することができる。
【００５１】
図２（Ｂ）に示すように、プローブ２４の先端部２４ｆ及び後端部２４ｒのそれぞれの端面２４ｆｅ，２４ｒｅは、平坦に形成されている。
【００５２】
図２（Ｃ）は、図１の検査用治具に用いることができる他の実施形態に係るプローブ２６を示す。プローブ２６は、図２（Ａ）のプローブ２２に、導電性の部材から形成された円柱状の先端ピン３０ｆ及び後端ピン３０ｒが組み込まれて構成されている。
【００５３】
具体的には、先端部２２ｆ及び後端部２２ｒには、それぞれ、先端ピン３０ｆ及び後端ピン３０ｒが挿入されており、それらのピンは、例えば先端部２２ｆ及び後端部２２ｒの位置Ｐｃを、例えばかしめや抵抗溶接やレーザ溶接することによって固定されている。
【００５４】
先端ピン３０ｆは先鋭形状の先端部３０ｆｅを有しており、その先端部３０ｆｅは被検査物５０の所定の検査点５０ｄｎ（図１）に接触する。また、後端ピン３０ｒは後端部３０ｒｅを有しており、その後端部３０ｒｅは、電極部１８と電気的接続を図ることができる。
【００５５】
図２（Ｄ）は、図１の検査用治具に用いることができる他の実施形態に係るプローブ２８を示す。プローブ２８も、図２（Ａ）のプローブ２２を用いる。具体的には、図２（Ｃ）のプローブ２６と同様に、先端部２２ｆ及び後端部２２ｒには、それぞれ、先端ピン３２ｆ及び後端ピン３２ｒが挿入されており、それらのピンは、例えば先端部２２ｆ及び後端部２２ｒの位置Ｐｄを、例えばかしめや抵抗溶接やレーザ溶接することによって固定されている。
【００５６】
ただし、先端ピン３２ｆ及び後端ピン３２ｒの対向する端部からは、それぞれ、ガイド部材３５が延出されている。２つのガイド部材３５は、それぞれ、弾性部２２ｓ−１及び２２ｓ−２に挿通されていて、それらが収縮する際に、それらを直線上に保持するガイド又は芯材として機能して、プローブ２８が弾性部において曲がるのを防止することができる。
【００５７】
図３（Ａ）は、図２（Ａ）及び図２（Ｂ）のプローブ２２，２４の先端部２２ｆ，２４ｆの端面２２ｆｅ，２４ｆｅの他の形状の実施形態を示す。図３（Ａ）に示すように、端面２２ｆｅ，２４ｆｅは、多数の先鋭突起部分を持つ王冠状に形成されている。なお、後端ピン２２ｒ，２４ｒの後端部２２ｒｅ，２４ｒｅを図３（Ａ）のように形成してもよい。
【００５８】
図３（Ｂ）から図３（Ｄ）は、図２（Ｃ）及び図２（Ｄ）に示すプローブ２６及び２８の先端ピン３０ｆ，３２ｆの先端部３０ｆｅ，３２ｆｅの形状の３つの異なる実施形態を示す。図３（Ｂ）は、先端部３０ｆｅ，３２ｆｅが平面に形成された実施形態を示し、図３（Ｃ）は、先端部３０ｆｅ，３２ｆｅが半球面形状に突出した実施形態を示し、図３（Ｄ）は、先端部３０ｆｅ，３２ｆｅが平坦な先端面の拡大部を持つように形成された実施形態を示す。なお、後端ピン３２ｒの後端部３０ｒｅ，３２ｒｅを図３（Ｂ）から図３（Ｄ）のように形成してもよい。
【００５９】
［検査用治具へのプローブの取り付け方法］
図４Ａから図４Ｄは、検査用治具１０にプローブ２２を取り付ける方法を説明するための概略構成を示す一部断面図である。
【００６０】
図４Ａは、ヘッド部１２、保持部１４及びベース部１６のそれぞれに形成された複数の貫通孔の内の１つを整列させた状態でそれらを重ね、その整列した貫通孔に位置決めピン１１ｐを挿入した状態を示す。
【００６１】
その状態では、ヘッド部１２、保持部１４及びベース部１６に、それぞれ形成されているプローブ挿通用の貫通孔１２ｈ、１４ｈ及び１６ｈが、図４Ａにおいて上下方向に整列する。そのため、図４Ａにおいて矢印で示すように、プローブ２２を後端部２２ｒを先頭にしてそれらの貫通孔に挿通することができる。
【００６２】
次に、図４Ｂに示すように、ヘッド部１２、保持部１４及びベース部１６が所定の距離に離隔するように、ヘッド部１２及び保持部１４を動かして、位置決めピン１１ｐよりも太い固定ピン１１を所定の貫通孔に挿入する。さらに、ヘッド部１２と保持部１４との間と、保持部１４とベース部１６との間とにスペーサ１１ｓをはめ込み、それにより、ヘッド部１２、保持部１４及びベース部１６を所定の位置に固定することが好ましい。
【００６３】
保持部１４を構成する３つのプレート１４−１，１４−２，１４−３は、スペーサ１４ｓによって所定の距離だけ離されて保持されている。また、固定ピン１１の挿入されているプレート１４−２の貫通孔１１ｈの径は固定ピン１６の外径より大きいため、そのプレート１４−２は、その径の大きさの差の分だけプレートの面に沿った方向（図において左右方向）に移動することができる。
【００６４】
図４Ｂでは、貫通孔に挿入されたプローブ２２は、まだ、固定されていない。
【００６５】
次に、図４Ｃでは、最初に、図中の矢印Ａに示すように、保持部１４の中の固定されていないプレート１４−２をその面に沿った方向に押して移動させると、そのプレートの貫通孔１４ｈ−２を形成する部分がプローブ２２の中間部２２ｍの右側面に当たってそれを矢印Ａ方向に押す。それにより、プローブ２２の中間部２２ｍが左方向に移動して、その左側面が、プレート１４−１及び１４−３のそれぞれの貫通孔１４ｈ−１及び１４ｈ−３を形成する部分に当たる。その結果、プローブ２２の中間部２２ｍは、プレート１４−２と、プレート１４−１及び１４−３とから挟まれて保持されることになる。
【００６６】
その際に、プローブ２２は、その中間部２２ｍがプレート１４−２から押されるため、図４Ｃに示すように、その位置から緩やかに湾曲する。それにより、プローブ２２の先端部２２ｆ及び後端部２２ｒは、貫通孔１２ｈ及び１６ｈを形成する端面に強く当たることなくそれらの孔に緩やかに挿入される。
【００６７】
上記の状態では、先端部２２ｆには何らの力も加わっていないため、弾性部２２ｓ−１は伸縮していない。また、後端部２２ｒにも何らの力も加わっていないため、弾性部２２ｓ−２も伸縮していない。
【００６８】
次に、図４Ｃの矢印Ｂに示すように、電極部１８を押し下げてベース部１６に取り付ける。その際、導線２０の端部２０ｅは電極部１８に固定されているため、その端部２０ｅがプローブ２２の後端部２２ｒを図４Ｂの位置から電極部１８の上面まで押し下げることになる。プローブ２２の中間部２２ｍは、保持部１４によって保持されているため、その押し下げに伴い弾性部２２ｓ―２は押された分だけ収縮する。
【００６９】
その収縮により、弾性部２２ｓ―２には元の位置に戻ろうとする力が発生する。その力によって、後端部２２ｒの端面２２ｒｅは、導線２０の端面２０ｅに常に一定の大きさの力で押し付けられることになる。そのため、電極部１８とプローブ２２との間の接触抵抗値は常に一定の小さな値に保たれる。
【００７０】
一方、中間部２２ｍは固定されているため、弾性部２２ｓ―２の力は先端部２２ｆには何ら影響を与えない。
【００７１】
図４Ｄは、保持部１４がプローブ２２の中間部２２ｍを保持している状態を説明するために、中心線Ｃ４ｄで示すプローブの湾曲の大きさを誇張して描いた一部断面図である。
【００７２】
その図に示すとおり、保持部１４の３つのプレート１４−１，１４−２，１４−３は、スペーサ１４ｓによって所定の距離だけ離されて保持されている。そのため、その図において、プレート１４−２が、プローブ２２の中間部２２ｍに、右側から左側に向かう力を加えると同時に、上下のプレート１４−１，１４−３が、反力として左側から右側に向かう力を加えるが、それらの対向する力によっては、プローブ２２の中間部２２ｍには極端なせん断応力が生ずるのを防止することができる。プローブ２２の中間部２２ｍは、中心線Ｃ４ｄに示すようにわずかに湾曲することによって、それらの押圧力を吸収している。
【００７３】
上記の実施形態では、プレート１４−２が移動可能で、他のプレート１４−１及び１４−３が固定されているが、プレート１４−１及び１４−３を移動可能にして、プレート１４−２を固定するようにしてもよい。
【００７４】
［検査用治具の使用状態］
図５は、矢印で示すように、検査用治具１０を下降させて、プローブ２２の先端部２２ｆの端面２２ｆｅを被検査物５０の対象部の検査点５０ｄｎに当接した状態を示す。プローブ２２の先端部２２ｆの端面２２ｆｅが検査点５０ｄｎに当接する時には、検査用治具１０の下降とともに弾性部２２ｓ−１が収縮する。それにより、弾性部２２ｓ−１は、先端部２２ｆを検査点５０ｄｎに押し付けることができる。被検査物として、上記の基板や半導体装置が該当する。
【００７５】
中間部２２ｍが、保持部１４によって一定位置に保持されているため、先端部２２ｆは、後端部側の弾性部２２ｓ−２の力の影響を受けることがない。
【００７６】
［他の実施形態］
図６（Ａ）は、上記の実施形態に係る検査用治具で用いたプローブ２２を他の実施形態に係る検査用治具に取り付けた状態を説明するための概略構成図である。
【００７７】
図６（Ａ）に示すように、プローブ２２は、板厚の大きなヘッド部１２ｗ及びベース部１６ｗを備える検査用治具に取り付けられている。この実施形態では、板厚の大きなヘッド部１２ｗとベース部１６ｗとによって、先端部２２ｆ及び弾性部２２ｓ−１と、弾性部２２ｓ−２及び後端部２２ｒとの周囲を囲むガイド孔が形成されている。中間部２２ｍが保持部１４によって保持されている点は上記の一実施形態の検査用治具と同じである。
【００７８】
それにより、被検査物検査において先端部２２ｆが往復動を繰り返す際に、それに伴って伸縮を繰り返す弾性部２２ｓ−１の曲がりを防ぐことができる。
【００７９】
図６（Ｂ）は、プローブ２４を、上記の一実施形態の検査用治具に取り付けた状態を説明するための概略構成図である。
【００８０】
図６（Ｂ）では、プローブの弾性部２４ｓの中間にある部分が、保持部１４によって保持される。そのため、その保持された部分は弾性部としては機能しない。
【００８１】
図６（Ｃ）は、プローブ２４を図６（Ａ）で説明した他の実施形態に係る検査用治具に取り付けた状態を説明するための概略構成図である。
【００８２】
図６（Ｃ）に示すように、プローブ２４は、板厚の大きなヘッド部１２ｗ及びベース部１６ｗを備える検査用治具に取り付けられている。そこでは、弾性部１４が保持部１４によって保持されており、また、先端部２４ｆと弾性部２４ｓの一部と、後端部２４ｒと弾性部２４ｓの一部とが、板厚の大きなヘッド部１２ｗ及びベース部１６ｗによって形成されたガイド孔内に挿入されている。それにより、図６（Ａ）の実施形態と同様に、被検査物検査を行う際に、伸縮を繰り返す弾性部２４ｓの曲がりを防ぐことができる。
【００８３】
図７（Ａ）は、プローブ２６を、上記の一実施形態の検査用治具に取り付けた状態を説明するための概略構成図である。図７（Ａ）に示すように、プローブの中間部２２ｍが、保持部１４によって保持されている。
【００８４】
また、図７（Ｂ）は、プローブ２８を、上記の実施形態の検査用治具に取り付けた状態を説明するための概略構成図である。図７（Ｂ）に示すように、プローブの中間部２２ｍが、保持部１４によって保持されている。
【００８５】
上記の実施形態におけるヘッド部、ベース部及び保持部のプレートの数や厚さは例示であり、それらに限定されるものではない。例えば、各々薄い又は厚い１枚のプレートで構成してもよく、各々のプレートの枚数や厚さを変えてもよい。
【００８６】
以上、本発明に係る検査用の検査用治具及びそれに用いることのできるプローブのいくつかの実施形態について説明したが、本発明はそれらの実施形態に拘束されるものではなく、当業者が容易になしえる追加、削除、改変等は、本発明に含まれるものであり、また、本発明の技術的範囲は、添付の特許請求の範囲の記載によって定められることを承知されたい。
【符号の説明】
【００８７】
１０・・・検査用治具
１１・・・支持部材
１１ｓ，１４ｓ・・・スペーサ
１２・・・ヘッド部
１２ｈ、１４ｈ，１６ｈ・・・貫通孔
１４・・・保持部
１４−１，１４−２，１４−３・・・プレート部
１６・・・ベース部
１８・・・電極部
２２，２４，２６，２８・・・プローブ
２２ｆ，２４ｆ・・・先端部
２２ｍ，２４ｍｍｍ・・・中間部
２２ｒ，２４ｒ・・・後端部
２２ｓ−１，２２ｓ−２，２４ｓ−１，２４ｓ−２・・・弾性部
５０・・・被検査物
【図１】
2010281583.tif 000003
【図２】
2010281583.tif 000004
【図３】
2010281583.tif 000005
【図４Ａ】
2010281583.tif 000006
【図４Ｂ】
2010281583.tif 000007
【図４Ｃ】
2010281583.tif 000008
【図４Ｄ】
2010281583.tif 000009
【図５】
2010281583.tif 000010
【図６】
2010281583.tif 000011
【図７】
2010281583.tif 000012